(57)【要約】【課題】ユーザの利用形態に応じた濃度の画像を出力できる画像処理装置および画像処理方法を提供すること。【解決手段】本発明の画像処理装置は、画像を複数の階調で表現された画像として読み取る読み取り手段と、前記画像の出力先を指定する指定手段と、前記指定手段により指定された出力先に対応して画像濃度の補正に用いる補正係数を決定する係数決定手段と、前記係数決定手段により決定された補正係数で前記画像を濃度補正する補正手段と、前記指定手段により指定された出力先に対応した出力形式で、前記補正手段により濃度補正された画像を出力する出力手段と、を備える。【選択図】        図２
2006011754.tif 000002
【特許請求の範囲】
【請求項１】
画像を複数の階調で表現された画像として読み取る読み取り手段と、
前記画像の出力先を指定する指定手段と、
前記指定手段により指定された出力先に対応して画像濃度の補正に用いる補正係数を決定する係数決定手段と、
前記係数決定手段により決定された補正係数で前記画像を濃度補正する補正手段と、
前記指定手段により指定された出力先に対応した出力形式で、前記補正手段により濃度補正された画像を出力する出力手段と、
を備えることを特徴とする画像処理装置。
【請求項２】
前記画像の出力先はディスプレイおよび印刷装置を含み、前記係数決定手段は、前記指定された出力先がディスプレイの場合はディスプレイの性能に対応した補正係数を、前記指定された出力先が印刷装置の場合は印刷装置の性能に対応した補正係数を、前記画像の補正に用いる補正係数として決定することを特徴とする請求項１に記載の画像処理装置。
【請求項３】
前記画像の出力先は液晶ディスプレイおよびＣＲＴを含み、前記係数決定手段は、前記指定された出力先が液晶ディスプレイの場合は液晶ディスプレイの性能に対応した補正係数を、前記指定された出力先がＣＲＴの場合はＣＲＴの性能に対応した補正係数を、前記画像の補正に用いる補正係数として決定することを特徴とする請求項１または２に記載の画像処理装置。
【請求項４】
前記補正係数はガンマ値であり、前記補正手段は、前記画像の出力先の装置特性に基づいたガンマ値で、前記画像にガンマ補正を行うことを特徴とする請求項１〜３のいずれか一つに記載の画像処理装置。
【請求項５】
前記読み取り手段により読み取られた画像を複数の階調で表現された画像として記憶する記憶手段をさらに備え、
前記補正手段は、前記記憶手段に記憶された画像を、前記係数決定手段により決定された補正係数で濃度補正することを特徴とする請求項１〜４のいずれか一つに記載の画像処理装置。
【請求項６】
前記指定手段は、前記画像の出力画質をさらに指定し、前記係数決定手段は前記出力画質に基づいて補正係数を決定し、前記出力手段は、前記指定手段により指定された出力先に対応した出力形式で、前記補正手段により濃度補正された画像を出力することを特徴とする請求項１〜５のいずれか一つに記載の画像処理装置。
【請求項７】
画像を複数の階調で表現された画像として読み取る読み取り工程と、
前記画像の出力先を指定する指定工程と、
前記指定工程で指定された出力先に対応して画像濃度の補正に用いる補正係数を決定する係数決定工程と
前記係数決定工程で決定された補正係数で前記画像を濃度補正する補正工程と、
前記指定工程で指定された出力先に対応した出力形式で、前記補正手段により濃度補正された画像を出力する出力工程と、
を含むことを特徴とする画像処理方法。
【請求項８】
前記画像の出力先はディスプレイおよび印刷装置を含み、前記係数決定工程は、前記指定された出力先がディスプレイの場合はディスプレイの性能に対応した補正係数を、前記指定された出力先が印刷装置の場合は印刷装置の性能に対応した補正係数を、前記画像の補正に用いる補正係数として決定することを特徴とする請求項７に記載の画像処理方法。
【請求項９】
前記画像の出力先は液晶ディスプレイおよびＣＲＴを含み、前記係数決定工程は、前記指定された出力先が液晶ディスプレイの場合は液晶ディスプレイの性能に対応した補正係数を、前記指定された出力先がＣＲＴの場合はＣＲＴの性能に対応した補正係数を、前記画像の補正に用いる補正係数として決定することを特徴とする請求項７または８に記載の画像処理方法。
【請求項１０】
前記補正係数はガンマ値であり、前記補正工程は、前記画像の出力先の装置特性に基づいたガンマ値で、前記画像にガンマ補正を行うことを特徴とする請求項７〜９のいずれか一つに記載の画像処理方法。
【請求項１１】
前記読み取り工程で読み取られた画像を複数の階調で表現された画像として記憶する記憶工程をさらに備え、
前記補正工程は、前記記憶工程で記憶された画像を、前記係数決定工程で決定された補正係数で濃度補正することを特徴とする請求項７〜１０のいずれか一つに記載の画像処理方法。
【請求項１２】
前記指定工程は、前記画像の出力画質をさらに指定し、前記係数決定工程は前記出力画質に基づいて補正係数を決定し、前記出力工程は、前記指定工程により指定された出力先に対応した出力形式で、前記補正工程により濃度補正された画像を出力することを特徴とする請求項７〜１１のいずれか一つに記載の画像処理方法。
【発明の詳細な説明】
【技術分野】
【０００１】
本発明は、スキャナ機能やプリンタ機能を有する、ＭＦＰ（多機能周辺装置）などにおいて行われる画像処理装置および画像処理方法に関する。
【背景技術】
【０００２】
スキャナ機能でスキャンした画像をＰＣのディスプレイ上で見る場合と、それを印刷して見る場合とがある。画面上での見た目の濃度が同じ画像でも、その解像度が異なると、プロッタの特性によって印刷時の濃度が異なる画像になることがある。また、同じ画像データでもディスプレイに画像を表示した場合とそれをプロッタ出力した場合とでは見た目の濃度が異なる場合がある。こうした濃度の違いを濃度補正という形で画像処理する。
【０００３】
スキャナ機能では一般的に、任意の解像度で画像をＰＣに取り込むことができる。文字モード、写真モード、文字写真モードなど、スキャナ機能の白黒２値のモードにおいては、読取ってＰＣに取り込むなど電子データにした時点で、単純２値化および中間調処理を施した２値画像となる。
【０００４】
これに対し、ＰＣで読み込みした画像データに自動的に補正をかけてユーザの所望の画像を得るデジタル画像処理装置があった（たとえば、特許文献１参照。）。また、読取った画像をディスプレイに表示して見る場合でも、ファクシミリ送信して紙に印刷して見る場合でも最適な画像が得られる画像通信装置、通信システム、送信画像処理方法および記録媒体があった（たとえば、特許文献２参照。）。またプリンタ出力の前に、ディスプレイと紙上の見た目が同じになるような変換と、印刷したときのプリンタの特性による変換とを画像に施したものをディスプレイに表示し、ユーザが印刷画像を補正しやすくした画像処理システムがあった（たとえば、特許文献３参照。）。
【０００５】
また、ネットワーク上のスキャナが複数のプリンタに対して最適な画像補正処理を行うことができるデータ処理装置、画像処理システム、データ補正方法、画像補正方法、及び記憶媒体があった（たとえば、特許文献４参照。）。また、一度の読取り動作により異なる複数の記録媒体にそれぞれ最適な画像データが出力する画像複写システムがあった（たとえば、特許文献５参照。）。また、コピー出力の場合と外部出力の場合とそれぞれに対して最適な画像補正処理を行うことができる画像処理装置があった（たとえば、特許文献６参照。）。
【０００６】
【特許文献１】特開２０００−５７３２１号公報
【特許文献２】特開２００２−１４２０６３号公報
【特許文献３】特開平９−６９９４５号公報
【特許文献４】特開２００１−７８０３１号公報
【特許文献５】特開２００１−６１０３０号公報
【特許文献６】特開２００３−３２４６５号公報
【発明の開示】
【発明が解決しようとする課題】
【０００７】
以上のように２値化された画像は、元のデータに処理を施されてしまっているので、例えばディスプレイ出力用に処理した画像に、その後印刷するときの濃度の補正をかけることは困難である。スキャナ機能で２値画像をＰＣに取り込む場合は、その画像の解像度に合わせたプロッタ特性に合わせて濃度補正を行うか、ディスプレイの特性に合わせて濃度補正を行うかどちらかにしておけば、そのどちらかには濃度特性が合う。しかし、例えばディスプレイの特性に合わせた物を印刷して利用する必要が出た場合など、その画像を別の用途の方で再利用する場合には濃度特性が合わなくなってしまう。
【０００８】
本発明は、上述の従来技術による問題点を解決するため、ユーザの利用形態に応じた濃度の画像を出力できる画像処理装置および画像処理方法を提供することを目的としている。
【課題を解決するための手段】
【０００９】
上述した課題を解決するため、請求項１に記載の画像処理装置は、画像を複数の階調で表現された画像として読み取る読み取り手段と、前記画像の出力先を指定する指定手段と、前記指定手段により指定された出力先に対応して画像濃度の補正に用いる補正係数を決定する係数決定手段と、前記係数決定手段により決定された補正係数で前記画像を濃度補正する補正手段と、前記指定手段により指定された出力先に対応した出力形式で、前記補正手段により濃度補正された画像を出力する出力手段と、を備えることを特徴とする。
【００１０】
この請求項１に記載の発明によれば、出力装置の特性に合わせた濃度補正処理がなされるので、ユーザの利用形態に合わせた出力画像を得ることが出来る。
【００１１】
また、請求項２に記載の画像処理装置は、請求項１に記載の発明において、前記画像の出力先はディスプレイおよび印刷装置を含み、前記係数決定手段は、前記指定された出力先がディスプレイの場合はディスプレイの性能に対応した補正係数を、前記指定された出力先が印刷装置の場合は印刷装置の性能に対応した補正係数を、前記画像濃度を補正する補正係数として決定することを特徴とする。
【００１２】
この請求項２に記載の発明によれば、例えばスキャナ機能の白黒２値モードの画像をディスプレイで見るときに、所望の濃度になるディスプレイ最適補正を施すか、その画像を印刷したときに所望の濃度となる印刷最適補正を施すか選択できる。
【００１３】
また、請求項３に記載の画像処理装置は、請求項１または２に記載の発明において、前記画像の出力先は液晶ディスプレイおよびＣＲＴを含み、前記係数決定手段は、前記指定された出力先が液晶ディスプレイの場合は液晶ディスプレイの性能に対応した補正係数を、前記指定された出力先がＣＲＴの場合はＣＲＴの性能に対応した補正係数を、前記画像濃度の補正に用いる補正係数として決定することを特徴とする。
【００１４】
この請求項３に記載の発明によれば、ディスプレイ出力のための濃度補正を、ＣＲＴの特性、液晶ディスプレイの特性に合わせて変えることができる。
【００１５】
また、請求項４に記載の画像処理装置は、請求項１〜３のいずれか一つに記載の発明において、前記補正係数はガンマ値であり、前記補正手段は、前記画像の出力先の装置特性に基づいたガンマ値で、前記画像にガンマ補正を行うことを特徴とする。
【００１６】
この請求項４に記載の発明によれば、出力先に応じたガンマ補正がなされるので、出力先に応じた適切な濃度で画像を出力することができる。
【００１７】
また、請求項５に記載の画像処理装置は、請求項１〜４のいずれか一つに記載の発明において、前記読み取り手段により読み取られた画像を複数の階調で表現された画像として記憶する記憶手段をさらに備え、前記補正手段は、前記記憶手段に記憶された画像を、前記係数決定手段により決定された補正係数で濃度補正することを特徴とする。
【００１８】
この請求項５に記載の発明によれば、画像を記憶手段に記憶しておき、ユーザが画像を利用する時点でそのときの利用形態に合わせて、ディスプレイで見たときに所望の濃度になるディスプレイ最適補正を施すか、その画像を印刷したときに所望の濃度となる印刷最適補正を施すか選択できる。
【００１９】
また、請求項６に記載の画像処理装置は、請求項１〜５のいずれか一つに記載の発明において、前記指定手段は、前記画像の出力画質をさらに指定し、前記係数決定手段は前記出力画質に基づいて補正係数を決定し、前記出力手段は、前記指定手段により指定された出力先に対応した出力形式で、前記補正手段により濃度補正された画像を出力することを特徴とする。
【００２０】
この請求項６に記載の発明によれば、ユーザが出力画質モードを切り替えて設定する場合に、画像の出力画質に出力濃度を合わせることができ、従ってユーザの利用形態に合わせた出力画像を得ることができる。
【００２１】
また、請求項７に記載の画像処理方法は、画像を複数の階調で表現された画像として読み取る読み取り工程と、前記画像の出力先を指定する指定工程と、前記指定工程で指定された出力先に対応して画像濃度の補正に用いる補正係数を決定する係数決定工程と、前記係数決定工程で決定された補正係数で前記画像を濃度補正する補正工程と、前記指定工程で指定された出力先に対応した出力形式で、前記補正工程で濃度補正された画像を出力する出力工程と、を含むことを特徴とする。
【００２２】
この請求項７に記載の発明によれば、出力装置の特性に合わせた濃度補正処理がなされるので、ユーザの利用形態に合わせた出力画像を得ることが出来る。
【００２３】
また、請求項８に記載の画像処理方法は、請求項７に記載の発明において、前記画像の出力先はディスプレイおよび印刷方法を含み、前記係数決定工程は、前記指定された出力先がディスプレイの場合はディスプレイの性能に対応した補正係数を、前記指定された出力先が印刷方法の場合は印刷方法の性能に対応した補正係数を、前記画像の補正に用いる補正係数として決定することを特徴とする。
【００２４】
この請求項８に記載の発明によれば、例えばスキャナ機能の白黒２値モードで画像をディスプレイで見るときに、所望の濃度になるディスプレイ最適補正を施すか、その画像を印刷したときに所望の濃度となる印刷最適補正を施すか選択できる。
【００２５】
また、請求項９に記載の画像処理方法は、請求項７または８に記載の発明において、前記画像の出力先は液晶ディスプレイおよびＣＲＴを含み、前記係数決定工程は、前記指定された出力先が液晶ディスプレイの場合は液晶ディスプレイの性能に対応した補正係数を、前記指定された出力先がＣＲＴの場合はＣＲＴの性能に対応した補正係数を、前記画像濃度の補正に用いる補正係数として決定することを特徴とする。
【００２６】
この請求項９に記載の発明によれば、ディスプレイ出力のための濃度補正を、ＣＲＴの特性、液晶ディスプレイの特性に合わせて変えることができる。
【００２７】
また、請求項１０に記載の画像処理方法は、請求項７〜９のいずれか一つに記載の発明において、前記補正係数はガンマ値であり、前記補正工程は、前記画像の出力先の装置特性に基づいたガンマ値で、前記画像にガンマ補正を行うことを特徴とする。
【００２８】
この請求項１０に記載の発明によれば、出力先に応じたガンマ補正がなされるので、適切な濃度で画像を出力することができる。
【００２９】
また、請求項１１に記載の画像処理方法は、請求項７〜１０のいずれか一つに記載の発明において、前記読み取り工程により読み取られた画像を複数の階調で表現された画像として記憶する記憶工程をさらに備え、前記補正工程は、前記記憶工程に記憶された画像を、前記係数決定工程で決定された補正係数で濃度補正することを特徴とする。
【００３０】
この請求項１１に記載の発明によれば、画像を記憶工程に記憶しておき、ユーザが画像を利用する時点でそのときの利用形態に合わせて、ディスプレイで見たときに所望の濃度になるディスプレイ最適補正を施すか、その画像を印刷したときに所望の濃度となる印刷最適補正を施すか選択できる。
【００３１】
また、請求項１２に記載の画像処理方法は、請求項７〜１１のいずれか一つに記載の発明において、前記指定工程は、前記画像の出力画質をさらに指定し、前記係数決定工程は前記出力画質に基づいて補正係数を決定し、前記出力工程は、前記指定工程で指定された出力先に対応した出力形式で、前記補正工程で濃度補正された画像を出力することを特徴とする。
【００３２】
この請求項１２に記載の発明によれば、ユーザが出力画質モードを切り替えて設定する場合に、画像の出力画質に出力濃度を合わせることができ、従ってユーザの利用形態に合わせた出力画像を得ることができる。
【発明の効果】
【００３３】
本発明によれば、出力装置の特性に合わせた濃度補正処理を行うことで、ユーザの利用形態に合わせた出力画像を得ることが出来る。また、蓄積した画像を再利用するときにも出力装置の特性に合わせた濃度補正処理を行うことが出来る。
【発明を実施するための最良の形態】
【００３４】
以下に添付図面を参照して、この発明にかかる画像処理装置および画像処理方法の好適な実施形態を詳細に説明する。図１は、本発明の一実施形態である画像処理システムのブロック図である。本発明にかかる画像処理システム１０３は、外部Ｉ／Ｆを介してデータの取り込み・出力を行う。データの取り込み・出力はシステムコントローラ１０１を介して行われ、ＨＤＤ（ハードディスク装置）１０２、画像形成装置１０４内のエンジン部１０５、スキャナアプリ１０９との間でやり取りが行われる。まずスキャナ機能について説明する。スキャナ装置１０６は、入力画像信号である画像信号を出力する。このスキャナ装置１０６が出力する画像信号は、モノクロ信号を扱う画像信号や、カラー信号を扱うＲＧＢなどの画像信号であり、スキャナ装置１０６の出力機能に従って出力される。画像を外部に出力する場合には、画像は、画像処理部１０７においてＰＣ上で扱う電子画像データになるように画像処理され、システムコントローラ１０１に戻され、外部Ｉ／Ｆを通じて出力される。
【００３５】
画像を内部に蓄積する場合には、スキャナ装置１０６からシステムコントローラ１０１に多階調で表現された画像データが送られ、ＨＤＤ１０２に渡されて画像データが記憶される。スキャナ装置１０６で読取られた画像データを、ＨＤＤ１０２と画像処理部１０７に同時に送ることで、外部への出力と画像データの記憶を一度に行うことが出来る。
【００３６】
プリンタ機能としての説明をする。外部Ｉ／Ｆから入力された多階調の画像データは、画像処理部１０７が濃度補正や２値化などを行うことによりプリンタ装置１０８の特性に合った画像に処理され、２値画像としてプリンタ装置１０８より出力される。外部Ｉ／Ｆから入力された画像データではなく、ＨＤＤ１０２に蓄積された画像データであっても、画像データは、同様にしてシステムコントローラ１０１から画像処理部１０７に渡され、プリンタ装置１０８から出力される。コピア機能は、スキャナ機能の処理とプリンタ機能を続けて行うことで実現することが出来る。
【００３７】
図２は、本発明の一実施形態である画像処理部１０７のブロック図である。画像処理部１０７による画像処理は、後述の動作モードによって指定された処理方法に従って行われる。スキャナ装置１０６で読取られた画像データ、またはスキャナ装置１０６で読取られてＨＤＤ１０２に保持されていた画像データは、画像処理部１０７のスキャナ画像処理部２０１の最初の処理であるガンマ補正部２０２に入る。ガンマ補正部２０２は、スキャナ装置１０６の画像読取り補正や、その他の装置固有の特性に対応してマッチングに対応して画像出力特性にあった画像データの補正を行う。
【００３８】
ここで、ガンマ補正について説明する。画像信号がディスプレイなどに表示されるときに、そのままでは一般的に元の画像とは異なるものになる。ガンマ補正とはその変化を修正するものである。ここで、入力された画像の強さに対する出力としてのディスプレイ上での画像の明るさを考える。本来は入力された明るさに正比例して、ディスプレイ上での明るさが右肩上がりになるが、実際にディスプレイ上に信号を入力すると、明るさは入力に正比例せずに、グラフにすると曲線状になる。この曲がり具合をあらわすのがガンマ値で、数字が大きいほど曲線の曲がり具合が大きくなる。ガンマ補正で書かれる数値は、現在のディスプレイのガンマ値を１．０として、そこから相対的にどの程度補正するかを指示するものである。ガンマ値は、１．０なら補正しない、１．２なら現在よりもちょっと明るくし、０．８ならちょっと暗くする、というものである。
【００３９】
次に画像データはフィルタ処理部２０３に入る。ここでは、画像上の文字部あるいは、絵柄部のエッジ情報の強調処理すなわちＭＴＦ補正と、網点原稿によるモアレを押さえるためのスムージング処理とを行う。
【００４０】
画像データはその後、解像度変換部２０４に送られ解像度の変換がされる。画像は画素の集合によりできているが、高精度の画像は大きい画素数で、低精度の画像は少ない画素数で表現される。この点で、両者は異なる画像であるので、出力する画像の画素数に合わせて画像を変換する必要がある。ここで解像度変換により画像を画素数の異なるものへと変換を行う。
【００４１】
その後中間調処理部２０５は、２値画像として出力する場合、２値化処理を行って画像データを２値画像に変換し、システムコントローラ１０１へ読取り画像を出力する。２値化には単純２値化処理の他、２値ディザ処理および２値誤差拡散処理がある。多値画像として出力する場合には、中間調処理部２０５は何も処理を行わずそのまま多値の画像を出力する。
【００４２】
ここで２値化について説明する。最も単純な画像の２値化は、画像の各画素の輝度（明るさ）に対してある“しきい値”を設け、しきい値以下ならば“０”、しきい値より大きければ“１”とする方法である。こうして得られた２値化した画素を、０：黒、１：白として表示すると、ある明るさより暗いところが黒、ある明るさより明るいところが白となった画像が得られる。
【００４３】
２値ディザ処理について説明する。人間の目は、画像中の細かい部分（周波数の高い成分）にはあまり敏感ではない。この性質を利用し、１画素ずつで画像を考えるのではなく、４画素であたかも１個の画素（これを擬似画素と呼ぶ）であるかのように考えてみる。この場合、１個の擬似画素を構成する黒の画素の個数を変えることにより、擬似画素の見かけ上の階調を増やすことができる。黒の画素の個数を０個から４個まで変えることにより、擬似画素はあたかも５段階の階調を持つかのように見せることができる。この様な画像処理を２値ディザ処理という。
【００４４】
次に２値誤差拡散について説明する。ディザ法のように固定のパターンを用いるのではなく、明るさに応じて動的に黒画素の比率を変えて変換することを考える。ある画素をしきい値法と同じ方法で白か黒かに変換したとする。すると、例えば明るさ５０で本来薄い黒の画素が、真っ黒の明るさ０の画素になるといったように誤差が発生する。
【００４５】
しきい値法ではこの誤差はすべて無視してすべての画素の変換を行うが、今度は前の画素で発生した誤差をその次の画素の変換で考慮する。ここで、前の画素で発生した誤差を次の画素に足す。先程の例では本来明るさ５０のはずが０になってしまったので、５０の誤差が発生する。次の画素の本来の明るさが１００だとすると、ここに前の誤差を足して次の画素は明るさ１５０であるとみなす。すると次の画素は明るさ２５５に変換されることになる。これをすべての画素で繰り返すことにより、しきい値法で発生する誤差分の情報を周りの画素に拡散させて埋め込むことができる。画像は２次元であり、実際には次の画素だけでなくｘｙ方向それぞれの周りの画素に誤差を配分する。誤差はそのまま周囲の画素に配分されるのではなく、一定の係数を掛け合わせて配分される。
【００４６】
動作モードの指定について説明する。図１の操作パネル１１０から動作モード（原稿サイズ、出力サイズ、出力濃度などの条件）が入力され、動作開始（原稿の読取り開始、蓄積画像の出力開始）が入力されると、入力された動作モードの情報が操作パネル１１０からスキャナアプリ１０９に渡される。スキャナアプリ１０９は、動作要求に操作パネル１１０から受け取った動作モードを、画像データに付随する属性として付加してシステムコントローラ１０１に渡し、システムコントローラ１０１を介してＨＤＤ１０２に渡す。
【００４７】
属性としてつけられる動作モードは次の情報がある。
・読取りサイズ
・カラー／白黒
・２値／多値
・文字モード／写真モード／文字写真モード
・解像度
・濃度調整（原稿より濃く、薄く）
・出力画質モード（ディスプレイモード、印刷モード）（ディスプレイ表示時に濃度が合うように補正するか、印刷したときに濃度が合うように補正するかの選択を行う）
・出力モード（読取って蓄積のみを行う、読取って蓄積と出力を行う、読取って出力のみを行う、蓄積した画像を出力する）
【００４８】
スキャナ装置１０６から画像を読取る場合について説明する。システムコントローラ１０１は、出力モードが読取りを含むモードだった場合には、スキャナ装置１０６に画像読取りの指示を出す。このとき動作モードを属性としてつける。スキャナ装置１０６は、動作モードの読取りサイズの範囲の画像（ＲＧＢデータ）を読取り、読取った画像データをシステムコントローラ１０１に渡す。
【００４９】
次に、読取った画像を出力する際の一連の流れを説明する。システムコントローラ１０１は、出力モードが蓄積のみの時は画像データをＨＤＤ１０２に渡して画像を保持し、読取って出力のみを行う場合または蓄積画像の出力のみのときは、画像処理部１０７に画像処理の指示を出して（動作モードを属性としてつける）、画像を画像処理部１０７に渡す。蓄積と出力を両方行う場合は両方を行う。
【００５０】
システムコントローラ１０１は、出力モードが読取りを含まないモード（蓄積した画像を出力する場合）の場合には読取りは行わず、ＨＤＤ１０２に蓄積されている画像を画像処理部１０７に渡し、画像処理の指示を出す（動作モードを属性としてつける）。
【００５１】
画像処理部１０７は画像処理が指示された場合、動作モードに従って次の処理を行う。
・カラー／白黒：システムコントローラ１０１に画像を渡す直前の処理で、カラーならＲＧＢの画像、白黒ならＧのみの画像を渡す。画像を渡すまでの処理はどちらでも同じ。
・２値／多値：中間調処理を行うかどうかを決める。
・文字モード／写真モード／文字写真モード：文字を良く見えるようになど、モードによってかけるガンマ補正、フィルタ処理、２値の場合は中間調処理の方式を変える。
・解像度：解像度変換部２０４で解像度に合わせて変換する。
・濃度：ガンマ補正によって調整する。
・出力画質モード（ディスプレイモード／印刷モード）：ガンマ補正をディスプレイの特性に合わせた物にするか、プロッタの特性に合わせた物にするかを切り替える。
【００５２】
以上の画像処理のうち特にガンマ補正は、「文字モード／写真モード／文字写真モード」「濃度」「ディスプレイモード／印刷モード」によってどのような補正をかけるかが決まる。このように決められたガンマ補正は、受け取った画像に対して中間調処理部２０５によって行われる。画像処理部１０７は、上のように処理を施した画像を、動作モードに従ってシステムコントローラ１０１に出力する。システムコントローラ１０１は、処理を施された画像をＨＤＤ１０２にいったん蓄積し、ディスプレイ出力する場合は、外部出力用に一般画像フォーマットに変換して、外部Ｉ／Ｆに画像を出力する。印刷出力する場合は、画像をプリンタ画像処理部２０６に送り、プリンタ画像処理部２０６で印刷用に画像処理を行う。画像処理されたデータは、プリンタ装置１０８で印刷される。
【００５３】
なお、ディスプレイモードに従って、ディスプレイ出力のための濃度補正を、ＣＲＴの特性、液晶ディスプレイの特性に合わせて変えることができる。また、ユーザの操作がＰＣからの蓄積画像の引き取り操作であった場合には、自動的に出力画質モードをディスプレイモードとすることもできる。さらに、ユーザの操作が蓄積画像の印刷だった場合には自動的に印刷モードとすることができる。さらに、ユーザが設定した内容に合わせて、出力画質モードを切り替えるようにすることができる。
【産業上の利用可能性】
【００５４】
以上のように、本発明に係る画像処理装置および画像処理方法は、スキャナ機能やプリンタ機能を有する、ＭＦＰ（多機能周辺装置）などにおいて有用である。
【図面の簡単な説明】
【００５５】
【図１】本発明の一実施形態である画像処理システムのブロック図である。
【図２】本発明の一実施形態である画像処理部のブロック図である。
【符号の説明】
【００５６】
１０１  システムコントローラ
１０２  ＨＤＤ
１０３  画像処理システム
１０４  画像形成装置
１０５  エンジン部
１０６  スキャナ装置
１０７  画像処理部
１０８  プリンタ装置
１０９  スキャナアプリ
１１０  操作パネル
２０１  スキャナ画像処理部
２０２  ガンマ補正部
２０３  フィルタ処理部
２０４  解像度変換部
２０５  中間調処理部
２０６  プリンタ画像処理部
【図１】
2006011754.tif 000003
【図２】
2006011754.tif 000004